(57)【要約】【課題】使用状態を表示するために電源を必要としないと共に、使用状態であることを認識し易いようにした送風式薬剤放散装置とする。【解決手段】本体１０に送風機１１と薬剤１２を設け、その送風機１１を駆動することで薬剤を含む空気を放出口１４から放出する送風式の薬剤放散器１と、この本体１０の外周に設けられ、その本体１０の外周に沿った環状の室２０を有する筒状体２を備え、この筒状体２に放出口１４と連通した入口２１と出口２２を形成すると共に、環状の室２０内に浮遊物体２３を設け、前記送風機１１を駆動することで薬剤を含む空気が環状の室２０に流通して浮遊物体２３が浮遊し、それを人が目視確認することで使用状態であることを表示できるようにすることで、使用状態を表示するために電源を必要としないと共に、使用状態であることを認識し易い。【選択図】図３
2007312629.tif 000002
【特許請求の範囲】
【請求項１】
本体１０に送風機１１と薬剤１２を設け、その送風機１１を駆動することで本体１０の吸込口１３から空気を吸い込み、その空気を薬剤１２に触れて薬剤を含む空気として本体１０の放出口１４から放出する送風式の薬剤放散器１と、
前記本体１０の外周面に沿った環状の室２０を有し、
この室２０は入口２１で前記放出口１４に連通し、かつ出口２２で大気に開口して薬剤を含む空気が流通するようにし、
前記環状の室２０内に浮遊物体２３を、薬剤を含む空気が流通することで浮遊するように設け、この浮遊している浮遊物体２３を目視確認できるようにしたことを特徴とする送風式薬剤放散装置。
【請求項２】
環状の室２０内における入口２１と出口２２との間に、空気が流通する収容室２４を形成し、この収容室２４内にのみ浮遊物体２３を設けた請求項１記載の送風式薬剤放散装置。
【請求項３】
環状の室２０内における入口２１と出口２２との間に、空気が流通し、かつ浮遊物体２３が設けられた容器２７を設けた請求項１記載の送風式薬剤放散装置。
【請求項４】
本体１０に送風機１１と薬剤１２を設け、その送風機１１を駆動することで本体１０の吸込口１３から空気を吸い込み、その空気を薬剤１２に触れて薬剤を含む空気として本体１０の放出口１４から放出する送風式の薬剤放散器１と、
前記本体１０の外面に設けた室５０を有し、
この室５０は入口２１で前記放出口１４に連通し、かつ出口２２で大気に開口して薬剤を含む空気が流通するようにし、
前記室５０内に浮遊物体２３を、薬剤を含む空気が流通することで浮遊するように設け、この浮遊している浮遊物体２３を目視確認できるようにしたことを特徴とする送風式薬剤放散装置。
【請求項５】
本体１０に送風機１１と薬剤１２を設け、その送風機１１を駆動することで本体１０の吸込口１３から空気を吸い込み、その空気を薬剤１２に触れて薬剤を含む空気として本体１０の放出口１４から放出する送風式の薬剤放散器１と、
前記本体１０の外周面に沿った環状の室２０を有し、
前記環状の室２０を、第１室２０ａと第２室２０ｂに区画し、その第１室２０ａに入口２１と出口２２を形成して薬剤を含む空気が流通するようにし、
前記第２室２０ｂ内に浮遊物体２３を設けると共に、その第２室２０ｂ内に、送風機１１を駆動することで薬剤を含まない空気が流通し、その空気によって浮遊物体２３が浮遊するようにしたことを特徴とする送風式薬剤放散装置。
【請求項６】
本体１０に送風機１１と薬剤１２を設け、その送風機１１を駆動することで本体１０の吸込口１３から空気を吸い込み、その空気を薬剤１２に触れて薬剤を含む空気として本体１０の放出口１４から放出する送風式の薬剤放散器１と、
前記本体１０の外周面に沿った環状の室２０を有し、
前記本体１０は、送風機１１を駆動することで薬剤を含まない空気が流通する室４０を有し、
この室４０内に浮遊物体２３を、薬剤を含まない空気が流通することで浮遊するように設け、この浮遊している浮遊物体２３を目視確認できるようにし、
前記環状の室２０は入口２１で前記放出口１４に連通し、かつ出口２２で大気に開口して薬剤を含む空気が流通するようにしたことを特徴とする送風式薬剤放散装置。
【請求項７】
本体１０に送風機１１と薬剤１２を設け、その送風機１１を駆動することで本体１０の吸込口１３から空気を吸い込み、その空気を薬剤１２に触れて薬剤を含む空気として本体１０の放出口１４から放出する送風式の薬剤放散器１を有し、
前記本体１０は、送風機１１を駆動することで薬剤を含まない空気が流通する室４０を有し、
この室４０内に浮遊物体２３を、薬剤を含まない空気が流通することで浮遊するように設け、この浮遊している浮遊物体２３を目視確認できるようにしたことを特徴とする送風式薬剤放散装置。
【発明の詳細な説明】
【技術分野】
【０００１】
本発明は、居住空間において、その空間の芳香、消臭、害虫防除などの目的で使用される送風式薬剤放散装置に関する。
【背景技術】
【０００２】
特許文献１に開示された送風式の薬剤放散器が知られている。
この薬剤放散器は、本体内に送風機と揮散性の薬剤を設け、その送風機を駆動することで本体の吸込口から空気を吸い込み、その空気を薬剤に触れることで薬剤を含む空気とし、その薬剤を含む空気を本体の放出口から大気に放散するようにしている。
【０００３】
【特許文献１】特開２００３−１０２３６１号公報
【発明の開示】
【発明が解決しようとする課題】
【０００４】
前述の送風式の薬剤放散器は、本体の放出口から薬剤を含む空気を大気に放出するものであるが、その薬剤を含む空気が放出口から大気に放出されているのかどうか、などの使用状態を、その薬剤放散器の近くの人が分からない。
このために、本体にランプを取付け、送風機を駆動することでランプが点灯するようにすることで、使用状態を薬剤放散器の近くの人が分かるようにした送風式の薬剤放散器が提案されている。
しかし、ランプの点灯では、空気の流れなどの動く現象ではないので、実際に薬剤を含む空気が大気に放出されている実感が湧かないから、使用状態であることを認識しづらい。
【０００５】
また、従来の送風式の薬剤放散器は、持ち運び易さなどの面から電源として乾電池を用いているので、前述のようにランプを点灯することで、乾電池の寿命がそれだけ短くなってしまう。
【０００６】
本発明の目的は、使用状態であることを表示するために電源を必要としないと共に、使用状態であることを認識し易い送風式薬剤放散装置を提供することである。
【課題を解決するための手段】
【０００７】
第１の発明は、本体１０に送風機１１と薬剤１２を設け、その送風機１１を駆動することで本体１０の吸込口１３から空気を吸い込み、その空気を薬剤１２に触れて薬剤を含む空気として本体１０の放出口１４から放出する送風式の薬剤放散器１と、
前記本体１０の外周面に沿った環状の室２０を有し、この室２０は入口２１で前記放出口１４に連通し、かつ出口２２で大気に開口して薬剤を含む空気が流通するようにし、
前記環状の室２０内に浮遊物体２３を、薬剤を含む空気が流通することで浮遊するように設け、この浮遊している浮遊物体２３を目視確認できるようにしたことを特徴とする送風式薬剤放散装置である。
【０００８】
第２の発明は、第１の発明において、環状の室２０内における入口２１と出口２２との間に、空気が流通する収容室２４を形成し、この収容室２４内にのみ浮遊物体２３を設けた送風式薬剤放散装置である。
【０００９】
第３の発明は、第１の発明において、環状の室２０内における入口２１と出口２２との間に、空気が流通し、かつ浮遊物体２３が設けられた容器２７を設けた送風式薬剤放散装置である。
【００１０】
第４の発明は、本体１０に送風機１１と薬剤１２を設け、その送風機１１を駆動することで本体１０の吸込口１３から空気を吸い込み、その空気を薬剤１２に触れて薬剤を含む空気として本体１０の放出口１４から放出する送風式の薬剤放散器１と、
前記本体１０の外面に設けた室５０を有し、この室５０は入口２１で前記放出口１４に連通し、かつ出口２２で大気に開口して薬剤を含む空気が流通するようにし、
前記室５０内に浮遊物体２３を、薬剤を含む空気が流通することで浮遊するように設け、この浮遊している浮遊物体２３を目視確認できるようにしたことを特徴とする送風式薬剤放散装置である。
【００１１】
第５の発明は、本体１０に送風機１１と薬剤１２を設け、その送風機１１を駆動することで本体１０の吸込口１３から空気を吸い込み、その空気を薬剤１２に触れて薬剤を含む空気として本体１０の放出口１４から放出する送風式の薬剤放散器１と、
前記本体１０の外周面に沿った環状の室２０を有し、
前記環状の室２０を、第１室２０ａと第２室２０ｂに区画し、その第１室２０ａに入口２１と出口２２を形成して薬剤を含む空気が流通するようにし、
前記第２室２０ｂ内に浮遊物体２３を設けると共に、その第２室２０ｂ内に、送風機１１を駆動することで薬剤を含まない空気が流通し、その空気によって浮遊物体２３が浮遊するようにしたことを特徴とする送風式薬剤放散装置である。
【００１２】
第６の発明は、本体１０に送風機１１と薬剤１２を設け、その送風機１１を駆動することで本体１０の吸込口１３から空気を吸い込み、その空気を薬剤１２に触れて薬剤を含む空気として本体１０の放出口１４から放出する送風式の薬剤放散器１と、
前記本体１０の外周面に沿った環状の室２０を有し、
前記本体１０は、送風機１１を駆動することで薬剤を含まない空気が流通する室４０を有し、
この室４０内に浮遊物体２３を、薬剤を含まない空気が流通することで浮遊するように設け、この浮遊している浮遊物体２３を目視確認できるようにし、
前記環状の室２０は入口２１で前記放出口１４に連通し、かつ出口２２で大気に開口して薬剤を含む空気が流通するようにしたことを特徴とする送風式薬剤放散装置である。
【００１３】
第７の発明は、本体１０に送風機１１と薬剤１２を設け、その送風機１１を駆動することで本体１０の吸込口１３から空気を吸い込み、その空気を薬剤１２に触れて薬剤を含む空気として本体１０の放出口１４から放出する送風式の薬剤放散器１を有し、
前記本体１０は、送風機１１を駆動することで薬剤を含まない空気が流通する室４０を有し、
この室４０内に浮遊物体２３を、薬剤を含まない空気が流通することで浮遊するように設け、この浮遊している浮遊物体２３を目視確認できるようにしたことを特徴とする送風式薬剤放散装置である。
【発明の効果】
【００１４】
第１の発明によれば、送風機１１を駆動することで薬剤を含む空気を大気に放出すると、その薬剤を含む空気の流れによって浮遊物体２３が浮遊し、そのことを人が目視確認できる。
したがって、薬剤を含む空気の流れを利用して使用状態であることを表示できるので、使用状態であることを表示するために電源を必要としないと共に、使用状態であることを認識し易い。
【００１５】
また、薬剤を含む空気は環状の室２０を流れて出口２２から大気に放出されると共に、その出口２２は送風機１１とは関係なしに任意の位置に形成できるので、薬剤を含む空気を任意の位置から大気に放出できる。
【００１６】
第２の発明によれば、環状の室２０における収容室２４以外の部分に薬剤を設けることができるので、全体を大きくせずに薬剤を多量に設けることが可能である。
【００１７】
第３の発明によれば、環状の室２０における容器２７以外の部分に薬剤を設けることができるので、全体を大きくせずに薬剤を多量に設けることが可能である。
【００１８】
第４の発明によれば、送風機１１を駆動することで薬剤を含む空気を大気に放出すると、その薬剤を含む空気の流れによって室５０で浮遊物体２３が浮遊し、そのことを人が目視確認できる。
したがって、薬剤を含む空気の流れを利用して使用状態であることを表示できるので、使用状態であることを表示するために電源を必要としないと共に、使用状態であることを認識し易い。
【００１９】
第５の発明によれば、送風機１１を駆動することで薬剤を含む空気が第１室２０ａを流通して大気に放出すると共に、その送風機１１が吸い込む空気が第２室２０ｂを流通し、その流れによって浮遊物体２３が浮遊し、そのことを人が目視確認できる。
したがって、送風機１１による空気の流れを利用して使用状態であることを表示できるので、使用状態であることを表示するために電源を必要としないと共に、使用状態であることを認識し易い。
しかも、薬剤を含まない空気で浮遊物体２３を浮遊するので、その浮遊物体２３に薬剤が付着することがなく、薬剤が無駄にならない。
【００２０】
また、薬剤を含む空気は環状の室２０の第１室２０ａを流れて出口２２から大気に放出されると共に、その出口２２は送風機１１とは関係なしに任意の位置に形成できるので、薬剤を含む空気を任意の位置から大気に放出できる。
【００２１】
第６の発明によれば、送風機１１を駆動することで薬剤を含む空気を大気に放出すると、その送風機１１が吸い込む空気が室４０内を流通し、その流れによって浮遊物体２３が浮遊し、そのことを人が目視確認できる。
したがって、送風機１１による空気の流れを利用して使用状態であることを表示できるので、使用状態であることを表示するために電源を必要としないと共に、使用状態であることを認識し易い。
しかも、薬剤を含まない空気で浮遊物体２３を浮遊するので、その浮遊物体２３に薬剤が付着することがなく、薬剤が無駄にならない。
【００２２】
また、薬剤を含む空気は環状の室２０の第１室２０ａを流れて出口２２から大気に放出されると共に、その出口２２は送風機１１とは関係なしに任意の位置に形成できるので、薬剤を含む空気を任意の位置から大気に放出できる。
【００２３】
第７の発明によれば、送風機１１を駆動することで薬剤を含む空気を大気に放出すると、その送風機１１が吸い込む空気が室４０内を流通し、その流れによって浮遊物体２３が浮遊し、そのことを人が目視確認できる。
したがって、送風機１１による空気の流れを利用して使用状態であることを表示できるので、使用状態であることを表示するために電源を必要としないと共に、使用状態であることを認識し易い。
しかも、薬剤を含まない空気で浮遊物体２３を浮遊するので、その浮遊物体２３に薬剤が付着することがなく、薬剤が無駄にならない。
【発明を実施するための最良の形態】
【００２４】
図１、図２、図３に示すように、送風式の薬剤放散器１と、この薬剤放散器１の周囲に設けた筒状体２で送風式薬剤放散装置としてある。
前記送風式の薬剤放散器１は、本体１０と、この本体１０内に設けた送風機１１、薬剤１２を備えている。
そして、送風機１１を駆動することで本体１０の吸込口１３から空気を吸い込み、その空気を薬剤１２に触れて薬剤を含む空気とし、その薬剤を含む空気を本体１０の放出口１４から外部に放出する。
【００２５】
前記筒状体２は、前記本体１０の外周面を覆うように取付けられ、その本体１０の外周面に沿った環状の室２０を有している。
この環状の室２０は入口２１で前記放出口１４と連通し、かつ出口２２で大気に開口し、前記薬剤を含む空気が入口２１から環状の室２０に流入し、その環状の室２０内を流れて出口２２から大気に放出される。
【００２６】
前記環状の室２０内には浮遊物体２３が収容してある。
この浮遊物体２３は、その環状の室２０内を流れる薬剤を含む空気によって環状の室２０内で浮遊する。
前記筒状体２は、前述の環状の室２０内で浮遊している浮遊物体２３を、その筒状体２の近くの人が目視確認できるようにしてある。
【００２７】
このようであるから、薬剤を含む空気を大気に放出している使用状態の時には、環状の室２０内で浮遊物体２３が浮遊し、その浮遊している浮遊物体２３を目視確認できる。つまり、浮遊物体２３が浮遊している状態が使用状態を表示することになる。
したがって、薬剤を含む空気の流れを利用して使用状態であることを表示するので、電源を必要とせずに使用状態であることを表示できると共に、使用状態であることを認識し易い。
【００２８】
また、薬剤を含む空気は本体１０の放出口１４、筒状体２の入口２１から環状の室２０内に流入し、その環状の室２０内を流通して出口２２から大気に放出されるので、その出口２２を放出口１４の位置（送風機１１の位置）に関係なく筒状体２の上下方向、周方向の任意の位置に形成できる。
したがって、薬剤を含む空気を任意の位置から大気に放出できる。
【００２９】
つまり、前述した従来の薬剤放散器の本体の放出口は、送風機と対向した位置に形成する必要があり、薬剤を含む空気を大気に放出する位置は送風機と対向した位置に限られ、任意の位置から薬剤を含む空気を大気に放出できない。
これに対して前述のように出口２２から大気に放出することで、薬剤を含む空気を任意の位置から大気に放出できる。
【００３０】
次に、各部材の具体形状を説明する。
前記本体１０は周面板１０ａと背面板１０ｂと中間隔板１０ｃで送風機収納室１０ｄと薬剤収納室１０ｅを有している。その薬剤収納室１０ｅは本体１０の正面に開口していると共に、送風機収納室１０ｄと薬剤収納室１０ｅは開口連通している。
前記周面板１０ａに放出口１４が形成され、この放出口１４は送風機収納室１０ｄに開口連通して放出口１４は送風機１１と対向した位置となっている。
前記背面板１０ｂには電池収納室１０ｆが形成され、電池１５が収納してある。この電池収納室１０ｆは本体１０の外面に設けても良い。
【００３１】
前記送風機１１はモータ１１ａでファン１１ｂを回転するもので、そのモータ１１ａは前記電池１５を電源として駆動される。
前記薬剤１２は、通気性を有する容器１２ａ内に、揮散性の薬剤を含浸する薬剤含浸プレート１２ｂを設け、通気性を有するプレート１２ｃで保持したものである。
この容器１２ａを薬剤収納室１０ｅ内に挿入し、押さえリング１６で抜けないように保持することで、薬剤１２を薬剤収納室１０ｅ内に挿入、抜き出し自在に設けてある。
【００３２】
前記筒状体２は内側周面板２ａ、外側周面板２ｂ、背面板２ｃ、正面板２ｄで環状の室２０を有する形状である。
この内側周面板２ａに入口２１が形成され、外側周面板２ｂに出口２２が形成してある。
そして、筒状体２は本体１０に、その内側周面板２ａと周面板１０ａが嵌合するようにして取付けられ、その入口２１が放出口１４と連通する。
前記筒状体２の各板２ａ，２ｂ，２ｃ，２ｄを透明材料として環状の室２０内で浮遊している浮遊物体２３を目視できるようにしてある。なお、筒状体２の外側周面板２ｂのみを透明材料にしても良い。
【００３３】
また、筒状体２は外側周面板２ｂ、背面板２ｃ、正面板２ｄで内側周面板２ａのない形状とし、その背面板２ｃ、正面板２ｄの内周面を本体１０の周面板１０ａに嵌合して環状の室２０を形成するようにしても良いし、その筒状体２を本体１０の周面板１０ａに一体として設けて環状の室２０を形成しても良い。
すなわち、本体１０の外周面に沿って環状の室２０を形成すれば良い。
【００３４】
前記浮遊物体２３は、紙片、布片、木片、樹脂片などの軽いもので、空気の流れで浮遊するようにしてある。
なお、浮遊物体２３が環状の室２０内で浮遊するとは、図３に示すように環状の室２０内で浮いている状態及び、長い紙片の一端部を環状の室２０の底部に固着して空気の流れで波打ち状に動く状態などである。
【００３５】
この実施の形態では、図３に仮想線で示すようにテーブルや玄関の棚などの居住空間の横面ａに載置して使用される。例えば、筒状体２の外側周面板２ｂを横面ａに載置して使用される。
そして、使用状態においては本体１０の背面側が下側で正面側が上側となり、送風機１１が下で薬剤１２が上となって、放出口１４は本体１０の下部寄りに設けてある。
前記筒状体２の入口２１が下部寄りで出口２２が上部寄りで、薬剤を含む空気は環状の室２０内で下から上に向けて流通するので、浮遊物体２３は環状の室２０内でスムーズに浮遊する。
【００３６】
これに限ることはなく、壁やドアなどの居住空間の縦面に取付けて使用するようにしても良い。
例えば、筒状体２にフックを設け、このフックを縦面に引掛けて取付けて使用する。
この使用状態においては本体１０の背面側が縦面側で、正面側が縦面と反対側となり、筒状体２の入口２１が縦面側で、出口２２が縦面と反対側となるから、環状の室２０内に薬剤を含む空気が縦面側から縦面と離れる方向に向けて横向きに流れ、浮遊物体２３も横向きに流れながら浮遊する。
それ以外に、筒状体２に吊るし紐を設けても良いし、又は筒状体２の正面に位置する部分を本体１０から離隔させて隙間を有する形状とし、その隙間を縦面に取付けたフックに引掛けて使用するようにしても良い。
【００３７】
前述の実施の形態では環状の室２０の全体に浮遊物体２３を設けたが、環状の室２０の一部分にのみ浮遊物体２３を設けるようにしても良い。
図４と図５に示すように環状の室２０内における入口２１と出口２２との間に収容室２４を形成し、この収容室２４に環状の室２０内の空気が流通するようにすると共に、その収容室２４内に浮遊物体２３を設け、その浮遊物体２３を人が目視確認できるようにする。
例えば、筒状体２の環状の室２０内の周方向の一部分に一対の横片２５を内側周面板２ａ、外側周面板２ｂに亘って一体的に設けると共に、その一対の横片２５間に亘って一対の縦片２６を一体的に設けて収納室２４とし、その横片２５、縦片２６に孔を形成して収納室２４内に空気が流通するようにする。
なお、筒状体２の正面板２ｄと１つの横板２５との間に収納室２４を形成して、出口２２まで収納室２４としても良い。
また、前述の収納室２４の数は１つでも、複数でも良い。
【００３８】
また、図６、図７に示すように環状の室２０内に空気が流通する容器２７を設け、その容器２７内に浮遊物体２３を設けて収容室２４とする。
例えば、筒状体２の外側周面板２ｂの周方向の一部分に開口２８を形成し、この開口２８から容器２７を環状の室２０内に挿通して容器２７内に環状の室２０内の空気が流通するようにすると共に、開口部２８を容器２７で閉塞する。
このようにすれば、容器２７のみを透明とすれば良いから、コストを安くできる。
この容器２７の数は１つでも複数でも良い。
また、容器２７の形状として、筒状体２の正面板２ｄに開口部を設け、筒状体２の内部に嵌まる大きさの筒状の容器形状とし開口部に挿通する、又は筒状体２の一部を縦方向に連続して切り取った筒状の容器形状とし、切り取った開口部分に嵌め込むようにしても良い。
【００３９】
前述のように、環状の室２０に収容室２４を形成することで、その環状の室２０の収納室２４以外の部分に薬剤を設けることができる。
例えば、図５、図７における環状の室２０の下部と収容室２４との間に薬剤を設ける。
このようにすることで、環状の室２０内に設けた薬剤の量だけ、多量に薬剤を有するものにできる。
【００４０】
前述の図４〜図７に示す実施の形態において、浮遊物体２３を設けた収容室２４、容器２７を入口２１の周方向に同じ位置とし、その入口２１を本体１０の周面板１０ａの放出口１４と連通する形態を示したが、これに限定されず、薬剤を含む空気を環状の室２０及び収容室２４、容器２７の内部に流通させれば浮遊物体２３が動作することから、浮遊物体２３を設けた収容室２４、容器２７と入口２１を周方向に位置をずらし、その入口２１を放出口１４と連通しても良い。
また、浮遊物体２３を設けた環状の室２０は勿論であるが、収容室２４、容器２７についてもその数に関係なく、本体１０の外周面（周面板１０ａ）の全周に放出口１４、又は複数箇所に放出口１４、又は１箇所に放出口１４、また環状の室２０（内側周面板２ａ）の全周に入口２１、又は複数箇所に入口２１、又は１箇所に入口２１を設けることができる。
【００４１】
前述の各実施の形態では、筒状体２による環状の室２０の径方向の寸法を下部から上部まで同一としたが、下部の径方向の寸法を小さく上部の径方向の寸法を大きくしても良い。
例えば、図示は省略するが図３における筒状体２の外側周面板２ｂを漏斗形状として内側周面板２ａとの間の間隔を、下部が狭く、上部に向かうにつれて順次広くなるようにする。
【００４２】
また、前述の各実施の形態では筒状体２の高さ（縦方向の寸法）を本体１０の高さ（縦方向の寸法）よりも大きくして筒状体２の下部を横面ａに載置するようにしたが、筒状体２の高さを本体１０の高さよりも小さくして本体１０の放出口１４部分に嵌合して取付け、本体１０を横面ａに載置するようにしても良い。
この場合、環状の室２０の縦断面形状は、矩形状、半円形状など任意である。
また、図示は省略するが、筒状体２の入口２１部分（内側周板２ａ）を網体としても良い。
【００４３】
前述の各実施の形態においては本体１０の外周面に沿った環状の室２０に浮遊物体２３を設けたが、本体１０の外面の一部分に室を設け、この室に薬剤を含む空気が流通するようにすると共に、浮遊物体２３を設けるようにしても良い。
例えば、図８、図９に示すように室５０を有する複数の収納体５１を複数の連結用部材５２でリング形状に連結し、その複数の収納体５１と複数の連結用部材５２を本体１０の外面（周面板１０ａ）に嵌合して取付ける。
前記収納体５１の内面５１ａに入口２１を形成し、外面５１ｂに出口２２を形成して薬剤を含む空気が室５０内に流通するようにする。
前記室５０に浮遊物体２３を設ける。
この場合には本体１０の外面における室５０以外の部分に電池収納室１０ｆを設けることができる。
【００４４】
また、図示は省略するが前述の室５０を形成する収納体５１を本体１０の外面（周面板１０ａ）に一体的に設けても良い。
【００４５】
前述した室５０の数は１つでも良いし、複数でも良い。
【００４６】
前述の各実施の形態においては、送風機１１の吐出側において浮遊物体２３を、薬剤を含む空気の流れで浮遊させたが、これに限ることはなく、送風機１１の吸込側において浮遊物体２３を、吸い込み空気の流れで浮遊させるようにしても良い。
例えば、図１０、図１１に示すように、筒状体２の環状の室２０を第１室２０ａと第２室２０ｂに区画し、その第１室２０ａに前記入口２１と出口２２を形成することで、薬剤を含む空気が第１室２０ａを流通して出口２２から大気に放出されるようにする。
この場合にも筒状体２を本体１０の周面板１０ａに一体的に設けても良い。
【００４７】
前記第２室２０ｂに流入口３０と流出口３１を形成し、その流入口３０を大気に開口連通すると共に、流出口３１を本体１０の吸気口３２に連通する。
この吸気口３２は薬剤１２を通らずに送風機１１の吸込側１１ｃに連通している。
これによって、送風機１１を駆動することで、図１１に矢印で示すように流入口３０から空気が、第２室２０ｂ、流出口３１、吸気口３２、吸込側１１ｃを通って送風機収納室１０ｄに流入するので、前述の第２室２０ｂに下から上に向けて薬剤を含まない空気が流通する。
したがって、前記第２室２０ｂに浮遊物体２３を設けることで、その浮遊物体２３が第２室２０ｂで浮遊する。
【００４８】
図１０と図１１においては、図３、図５、図７に示す本体１０を上下反転して背面板１０ｂが正面（上面）となると共に、薬剤１２が背面側（下面側）となるようにしてある。
そして、本体１０の周面板１０ａの下端面に切欠部を形成し、その切欠部１７から吸込口１３に空気が流入するようにしてある。
前記第１室２０ａが上で第２室２０ｂが下である。流入口３０が下で流出口３１が下であり、前述のように第２室２０ｂ内に下から上に空気が流通する。
【００４９】
このようにすれば、送風機１１の吸い込み空気、つまり薬剤を含まない空気によって浮遊物体２３が浮遊するので、浮遊物体２３に薬剤が付着することがなく、薬剤が無駄にならない。
【００５０】
また、浮遊物体２３が浮遊する室を本体１０に一体的に設け、筒状体２の環状の室２０には薬剤を含む空気が流通するようにしても良い。
例えば、図１２、図１３に示すように、本体１０の下部寄りの外周部分に室４０を形成し、この室４０を流入口４１で大気、例えば吸込口１３における薬剤１２よりも外側に開口連通すると共に、前記室４０を流出口４２で薬剤１２を通さずに送風機１１の吸込側１１ｃに適用する。
これによって、送風機１１を駆動することで、空気が流入口４１、室４０、流出口４２を経て送風機１１の吸込側１１ｃに流れる。
前記室４０に浮遊物体２３を設け、送風機２１を駆動することで室４０内に空気が流通して浮遊物体２３が浮遊するようにする。
そして、室４０で浮遊している浮遊物体２３を、前述の実施の形態と同様に目視確認できるようにする。
【００５１】
前記本体１０の上部寄りの外周面に筒状体２を嵌合して取付け、その入口２１を本体１０の放出口１４に連通する。
これによって、送風機１１を駆動することで、切欠部１７、吸込口１３、薬剤１２、吸込側１１ｃに空気が流れ、薬剤を含む空気が放出口１４、入口２１、環状の室２０、出口２２より大気に放出される。
なお、図１２には筒状体２が図示していない。
【００５２】
前述のように薬剤を含まない空気で浮遊物体２３を浮遊するようにした場合には、薬剤を含む空気を放出口１４から直接大気に放出するようにしても良い。
例えば、図１４に示すように本体１０の放出口１４を直接大気に開口して、薬剤を含む空気が放出口１４から直接大気に放出するようにする。
【００５３】
また、このようにした場合には、薬剤１２を送風機１１の吐出側に設けることで、前述の室５０を吸込口１３と連通して室５０に多量の空気が流通するようにできる。
【００５４】
前述した各実施の形態における筒状体２の形状としては、前述の実施の形態で示した円形の他に、正方形、長方形、楕円形、菱形、多角形などでも良い。
また、薬剤放散器１の形状も前述の実施の形態で示した円形に限定されない。
また、薬剤放散器１の周囲に設けた筒状体２の形状として、薬剤放散器１（本体１０）の放出口１４に連通する筒状体２（環状の室２０）の入口２１部分を除き離間した形態にすることもできる。
【００５５】
本発明における薬剤１２としては、前述のように揮散性の薬剤を含浸した薬剤含浸プレート１２ｂを通気性を有する容器１２ａと、通気性を有するプレート１２ｃで保持したものに限定されず、薬剤含浸粒剤を収納した通気性容器であったり、薬剤含浸ハニカム構造体を支持板で保持したものであったり、など公知のものを使用できる。
また、図示は省略しているが、本体１０に薬剤収納室１０ｅを有しない薬剤放散器において、送風機１１のファン１１ｂに前述の薬剤１２を固着したものを使用する、又は揮散性薬剤を含有したファンを使用するようにしても良い。
【００５６】
本発明において使用される薬剤としては、芳香剤、消臭剤、殺菌剤、殺ダニ剤、害虫あるいは害獣忌避剤、殺虫剤または害虫の成長制御剤、吸血行動阻止剤などで、揮散性のものが用いられる。
そして上記の薬剤で、殺虫を目的として使用する場合、従来より用いられている各種揮散性殺虫剤を用いることができ、ピレスロイド系殺虫剤、カーバメート系殺虫剤、有機リン系殺虫剤等が挙げることができる。一般に安全性が高いことからピレスロイド系殺虫剤が好適に用いられる。
さらに、微量で効力を発揮する高活性のメトフルトリン、トランスフルトリン、エムペントリン、テラレスリンが薬剤含浸体を薄く、また小さくできることからより好ましい。
【図面の簡単な説明】
【００５７】
【図１】本発明の第１の実施の形態を示す正面図である。
【図２】本発明の第１の実施の形態を示す側面図である。
【図３】本発明の第１の実施の形態を示す断面図である。
【図４】本発明の第２の実施の形態を示す正面図である。
【図５】本発明の第２の実施の形態を示す断面図である。
【図６】本発明の第３の実施の形態を示す正面図である。
【図７】本発明の第３の実施の形態を示す断面図である。
【図８】本発明の第４の実施の形態を示す正面図である。
【図９】本発明の第４の実施の形態を示す断面図である。
【図１０】本発明の第５の実施の形態を示す正面図である。
【図１１】本発明の第５の実施の形態を示す断面図である。
【図１２】本発明の第６の実施の形態を示す正面図である。
【図１３】本発明の第６の実施の形態を示す断面図である。
【図１４】本発明の第７の実施の形態を示す断面図である。
【符号の説明】
【００５８】
１…送風式の薬剤放散器、２…筒状体、１０…本体、１１…送風機、１２…薬剤、１３…吸込口、１４…放出口、２０…環状の室、２０ａ…第１室、２０ｂ…第２室、２１…入口、２２…出口、２３…浮遊物体、２４…収容室、２７…容器、４０…室、５０…室。
【図１】
2007312629.tif 000003
【図２】
2007312629.tif 000004
【図３】
2007312629.tif 000005
【図４】
2007312629.tif 000006
【図５】
2007312629.tif 000007
【図６】
2007312629.tif 000008
【図７】
2007312629.tif 000009
【図８】
2007312629.tif 000010
【図９】
2007312629.tif 000011
【図１０】
2007312629.tif 000012
【図１１】
2007312629.tif 000013
【図１２】
2007312629.tif 000014
【図１３】
2007312629.tif 000015
【図１４】
2007312629.tif 000016